(57)【要約】【課題】屈むことが困難な場合であっても、着脱が容易なワイドパンツ用のずれ防止具を提供することを目的とする。【解決手段】ずれ防止具１は、少なくとも一部が長手方向に伸縮する材料で形成され、伸長時の長さが人の大腿部の外周程度である長尺状のベルト部１１と、ベルト部１１の少なくとも一端側に取り付けられ、ベルト部１１の他端側と係合することによりベルト部１１を環状に保持する係合部１２とから構成される。ずれ防止具１は、大腿部に装着することが可能で、着脱の際に腰を大きく屈める必要がない。ずれ防止具１を装着した状態でワイドパンツをたくし上げれば、裾が床について汚れるのを防止することができる【選択図】図２
0003229745.tif 000002
【実用新案登録請求の範囲】
【請求項１】
少なくとも一部が長手方向に伸縮する材料で形成され、伸長時の長さが人の大腿部の外周程度である長尺状のベルト部と、
前記ベルト部の少なくとも一端側に取り付けられ、前記ベルト部の他端側と係合することにより前記ベルト部を環状に保持する係合部と
から構成されるずれ防止具。
【請求項２】
少なくとも一部が長手方向に伸縮する材料で形成された長尺状のベルト部と、
前記ベルト部の少なくとも一端側に取り付けられ、前記ベルト部の他端側と係合することにより前記ベルト部を環状に保持する係合部と、
環状の前記ベルト部の伸長時の径が人の大腿部の外周程度となるように調節するアジャスターと
から構成されるずれ防止具。
【請求項３】
前記ベルト部の端部寄りの位置に少なくとも一つの装飾が施されている
ことを特徴とする請求項１又は請求項２に記載のずれ防止具。
【考案の詳細な説明】
【技術分野】
【０００１】
本考案は、ガウチョパンツやスカンツなどの裾が広がっているズボンを着用している際に使用するずれ防止具に関する。
【背景技術】
【０００２】
近年、女性の間でガウチョパンツやスカンツ等の裾が広がっているズボン（以下、「ワイドパンツ」という。）が流行している。ワイドパンツは、動きやすさとエレガントさを兼ね備えており、また体型カバーもできるため、幅広い年代の女性に人気である。
しかしながら、ワイドパンツを履いていると、トイレでウエストを緩めた際にワイドパンツがずり落ちて裾が床に付き、裾を汚してしまうことがある。多くの女性は、裾をくるくる巻いたり、裾をまくって押さえるなど、不便さを抱えながら対処している。
特許文献１には、この問題を解決するため、ワイドパンツの裾に巻き付けて、裾をたくし上げることができるバンドが開示されている。
【先行技術文献】
【特許文献】
【０００３】
【特許文献１】実用新案登録第３２０５９５３号
【考案の概要】
【考案が解決しようとする課題】
【０００４】
しかしながら、ここに開示されているバンドは、足首に巻き付けるものである。この場合、お腹の大きな妊婦や腰痛がある人にとっては取り付け及び取り外しが非常に困難である。
そこで、本考案は、上記の問題点を解決するために、お腹の大きな妊婦や腰痛がある人等、屈むことが困難な場合であっても、取り付け及び取り外しが容易なワイドパンツ用のずれ防止具を提供することを目的とする。
【課題を解決するための手段】
【０００５】
上記の目的を達成するために、本考案のずれ防止具は、少なくとも一部が長手方向に伸縮する材料で形成され、伸長時の長さが人の大腿部の外周程度である長尺状のベルト部と、ベルト部の少なくとも一端側に取り付けられ、ベルト部の他端側と係合することによりベルト部を環状に保持する係合部とから構成される。
【考案の効果】
【０００６】
本考案のずれ防止具は、少なくとも一部が長手方向に伸縮する材料で形成され、伸長時の長さが人の大腿部の外周程度である長尺状のベルト部と、前記ベルト部の少なくとも一端側に取り付けられ、前記ベルト部の他端側と係合することにより前記ベルト部を環状に保持する係合部とから構成されることを特徴とする。
このように、本考案のずれ防止具は、人の大腿部に巻ける程度にベルト部が伸びるため、大腿部に装着することができる。従来のバンドは、足首に装着するため体を二つ折りするほど屈む必要があったが、本考案のずれ防止具を用いれば、着脱の際に腰を大きく屈める必要がなく、お腹の大きな妊婦や腰痛がある人など、屈む姿勢が困難な状況でも容易に着脱が可能となる。そして、大腿部に巻きつけた状態でワイドパンツをたくし上げれば、トイレの際に、ワイドパンツがずり落ちて裾が汚れるのを防止することができる。
【０００７】
また、本考案のずれ防止具は、少なくとも一部が長手方向に伸縮する材料で形成された長尺状のベルト部と、ベルト部の少なくとも一端側に取り付けられ、ベルト部の他端側と係合することにより前記ベルト部を環状に保持する係合部と、環状の前記ベルト部の伸長時の径が人の大腿部の外周程度となるように調節するアジャスターとから構成されることを特徴とする。
これにより、本考案のずれ防止具は、大腿部に装着することができるので、着脱の際に腰を大きく屈める必要がなく、お腹の大きな妊婦や腰痛がある人など、屈む姿勢が困難な状況でも容易に着脱が可能となる。そして、大腿部に巻きつけた状態でワイドパンツをたくし上げれば、トイレの際に、ワイドパンツがずり落ちて裾が汚れるのを防止することができる。
【０００８】
ここで、本考案に係るずれ防止具は、ベルト部の端部寄りの位置に少なくとも一つの装飾が施されていることを特徴とする。
このように、本考案のずれ防止具は、機能性に加え、美しさも兼ね備えている。ずれ防止具はトイレで使用することを想定しており、通常は使用者以外の他者に見られることはない。しかしながら、このような美しさを備えることで、使用者は「見えないおしゃれ」を楽しむことができる。
【図面の簡単な説明】
【０００９】
【図１】第１の実施形態に係るワイドパンツ用ずれ防止具１の図である。
【図２】ワイドパンツ用ずれ防止具１の使用方法を説明するための図である。
【図３】ワイドパンツ用ずれ防止具１の使用方法を説明するための図である。
【図４】ワイドパンツ用ずれ防止具１の使用方法を説明するための図である。
【図５】第２の実施形態に係るワイドパンツ用ずれ防止具２の図である。
【考案を実施するための形態】
【００１０】
＜第１の実施形態＞
図１は、第１の実施形態に係るワイドパンツ用ずれ防止具１の構成を示す図である。ワイドパンツ用ずれ防止具１は、ベルト部１１と、係合部１２と、装飾部１３とから構成される。図１（ａ）は、係合部１２が閉じている状態を示し、図１（ｂ）は、係合部１２が開いている状態を示している。
ベルト部１１は、少なくとも一部が長手方向に伸縮する材料で形成されている。美しさの観点から、フリルが付いたゴム紐やレースのゴム紐等が好ましい。ベルト部１１の長さは通常時４０〜４５ｃｍ程度、伸長時では５０〜５５ｃｍ程度あり、伸長した状態の長さが、人の大腿部にフィットするサイズとなっている。幅は、２〜３ｃｍ程度である。
【００１１】
ベルト部１１の一端側には、係合部１２の雌部材１２ａが取り付けられ、他端側には、係合部１２の雄部材１２ｂが取り付けられている。係合部１２は、雄部材１２ｂを雌部材１２ａの内部で係合して抜け止めする。これにより、長尺状のベルト部１１を環状に保持することができる。ここでは係合部１２の一例としてフロントリリースタイプのバックルを用いる。フロントリリースタイプは、フロントのプッシュボタン１２ｃを指で押下すると雌部材１２ａと雄部材１２ｂとが外れる。
【００１２】
ベルト部１１の両端部付近には、装飾部１３が取り付けられている。ここでは装飾部１３の一例としてフラワーモチーフを用いているが、装飾部１３は、図示している形状に限定されるものではない。リボン、ビーズ、ボタン、シルクフラワー、タッセル、ファー等を用いることができる。さらに、これらを２つ以上組み合わせて用いてもよい。
このように、ワイドパンツ用ずれ防止具１は、機能性に加えて美しさも兼ね備えており、使用者が持ち運んだり使用する際に、便利さだけではなく、楽しさや嬉しさという気持ちを演出する。
【００１３】
続いて、ワイドパンツ用ずれ防止具１の使用方法について説明する。
図２に示すように、使用者は、ワイドパンツ用ずれ防止具１のベルト部１１を大腿部に巻き付け、係合部１２を閉じて固定する。そして、図３に示すようにワイドパンツ３をたくし上げる。両足共にワイドパンツ３をたくし上げた後にウエスト部分を緩めれば、トイレ４に着座した際もワイドパンツの裾が床に付かない。
使用者が立位でベルト部１１を大腿部に取り付けようとすると、多少体が前かがみになる。この姿勢がつらい人は、図４に示すように、トイレ４に着座した状態でベルト部１１を大腿部に巻き付けて、係合部１２で固定すると良い。その後、立ち上がってワイドパンツ３のウエストを緩めた後に再度トイレ４に着座すれば、腰を屈めることなく、楽に取り付け、取り外しが可能となる。
【００１４】
＜第２の実施形態＞
次に、図５を参照して第２の実施形態に係るワイドパンツ用ずれ防止具２について説明する。図５に示すように、ワイドパンツ用ずれ防止具２は、ベルト部２１と、係合部２２と、装飾部２３とから構成される。ここでは、係合部２２が閉じている状態を示している。  ワイドパンツ用ずれ防止具２は、係合部２２にアジャスター２２ｃを備えており、ベルト部２１の長さ調節が可能であることが特徴である。
そのため、第１の実施形態ではフリルやレースの装飾が美しいベルト部１１を用いたが、第２の実施形態では、長さ調節が容易なように、ストレートタイプのゴム紐をベルト部２１に用いることが好ましい。この場合であっても、例えばサテン生地を使用したものなど、美しいものを用いる方が好ましい。
【００１５】
ベルト部２１の一端側には係合部２２の雌部材２２ａが取り付けられ、ベルト部２１の他端側には雄部材２２ｂが取り付けられている。また、雄部材２２ｂにはアジャスター２２ｃが連結されている。係合部２２は、雄部材２２ｂを雌部材２２ａの内部で係合して抜け止めする。これにより、長尺状のベルト部２１を環状に保持することができる。そして、アジャスター２２ｃによって、環状にしたときのベルト部２１の径を調整することができる。したがって、使用者の大腿部の外周サイズに応じてベルト部２１の長さ（径）を調整し、適度な長さ(径）で固定することができる。これにより、ワイドパンツ用ずれ防止具２は、大腿部が太い人、細い人、様々な体型の人に対応できる。
【００１６】
ここでは係合部２２の一例としてサイドリリースタイプのバックルを用いていており、上下のサイドボタン２２ｄを同時に押下すると雌部材２２ａと雄部材２２ｂとが外れる。
フロントリリースタイプの場合、肌の弱い人や筋力が低下している人は取り外しの際に大腿部が圧迫されて痛みを感じる場合がある。また、押下する方向に力が入りにくい場合もある。サイドリリースタイプは、取り外しの際には２本の指で操作する必要があるが、大腿部への圧迫を防止することができる。
【００１７】
このように、第２の実施形態ではアジャスター２２ｃを備え、大腿部の太い人にも細い人にも対応させるため、長尺状のベルト部２１の長さは、第１の実施形態のベルト部１１と比較して長い。一例として、長尺状のベルト部２１の長さは通常時５０〜５５ｃｍ程度、伸長時では６０〜７０ｃｍ程度である。幅は、２〜３ｃｍ程度である。
ワイドパンツ用ずれ防止具２の取り付け方法は、第１の実施形態のワイドパンツ用ずれ防止具１と同様である。使用時には、ベルト部２１が人の大腿部にフィットするサイズにアジャスター２２ｃで調節される。
【００１８】
また、ワイドパンツ用ずれ防止具２は、ベルト部２１の一方の端部付近に装飾部２３を備える。ここではリボンを使用したバラのモチーフが取り付けられている。第１の実施形態では、装飾部１３はベルト部１１の両端部付近に２個取り付けられていたのに対して、第２の実施形態では、装飾部２３は、ベルト部２１の一方の端部付近に１個のみ取り付けられている。
仮に、装飾部１３、２３がベルト部１１、２１の長手方向中央部寄りに備えられている場合、トイレに着座した際に装飾部１３、２３が使用者の臀部で圧迫されて美しいフラワーモチーフ等の形が崩れてしまう。更に、装飾部１３、２３が邪魔になり使用感も悪くなる。
【００１９】
したがって、装飾部１３、２３は、ベルト部１１、２１の端部寄りに備えられている。こうすることにより、美しいフラワーモチーフ等の形が崩れたり、使用感が悪くなったりするのを防止することができる。更には、取り付けの際に装飾部１３、２３が使用者の目に触れるので、楽しさや嬉しさという気持ちを演出することができる。
以上説明したように、第２の実施形態に係るワイドパンツ用ずれ防止具２は、前屈みの姿勢が辛い人でも取り付け及び取り外しが容易であり、両足に取り付けた状態でワイドパンツをたくし上げ、その後にウエスト部分を緩めれば、トイレに着座した際もワイドパンツの裾が床に付かず、裾が汚れるのを防止できる。
＜その他の変形例＞
【００２０】
本考案に係るずれ防止具について、上記の実施形態１及び実施形態２に基づき説明したが、本考案に係るずれ防止具は、上記の実施形態１及び実施形態２に限定されない。例えば以下のような場合も、本考案に含まれる。
（１）装飾部１３、２３は必須の構成ではない。ワイドパンツ用ずれ防止具１は、少なくともベルト部１１及び係合部１２を備えていれば足り、ワイドパンツ用ずれ防止具２は、少なくともベルト部２１、係合部２２及びアジャスター２２ｃを備えていれば足りる。
（２）ベルト部１１、２１は、全体が長手方向に伸縮するゴム紐を用いているが、少なくとも一部分が長手方向に伸縮する材料で形成されていれば足りる。すなわち、伸縮する材料と伸縮しない材料とを組み合わせてベルト部１１、２１を形成してもよい。
【００２１】
（３）第１の実施形態の係合部１２はサイドリリースタイプのバックルを用いてもよい。また、第２の実施形態の係合部２２はフロントリリースタイプのバックルを用いてもよい。
（４）係合部１２、２２は、バックルに限定されない。例えば、ゼットカンを用いても良い。この場合には、ベルト部１１、１２の一端にゼットカンを取り付け、他端を環状に縫製すれば、ゼットカンに環状の端部を係合することで、長尺状のベルト部を環状に保持することができる。このように、係合部１２、２２は、長尺状のベルト部を環状に保持できる部材であれば足りる。
【００２２】
（５）ベルト部１１、２１と係合部１２、２２との取り付け方法は限定されない。縫製により取り付けても良いし、布用の接着剤や布用のステープラ等で取り付けてもよい。
（６）ワイドパンツ用ずれ防止具１、２は、通常２個セットで使用する。外出時にはポーチや巾着袋などに入れ、それをハンドバッグ等に入れて持ち運ぶとよい。
（７）上記の実施形態に上記の変形例を適宜組み合わせたものも本考案に含まれる。
【産業上の利用可能性】
【００２３】
本考案に係るずれ防止具は、ワイドパンツを履いて外出する際に、トイレでワイドパンツがずり落ちて裾が汚れるのを防止するための技術として利用可能である。特に、妊婦さんや腰痛のある人向けのずれ防止具として有用である。
【符号の説明】
【００２４】
１          ワイドパンツ用ずれ防止具（第１の実施形態）
２          ワイドパンツ用ずれ防止具（第２の実施形態）
１１、２１  ベルト部
１２、２２  係合部
１３、２３  装飾部
２２ｃ      アジャスター
【図１】
0003229745.tif 000003
【図２】
0003229745.tif 000004
【図３】
0003229745.tif 000005
【図４】
0003229745.tif 000006
【図５】
0003229745.tif 000007